(57)【特許請求の範囲】
【請求項１】
給気管を流れる空気中に、燃料流量制御バルブを介して導入される燃料ガスを混合し、この混合気をスロットルバルブにより流量調整して燃焼室に供給するようにしたガスエンジンの始動制御方法において、
前記ガスエンジンをクランキングして、エンジンの始動が正常に開始されたと判断する初期回転速度と、該初期回転速度以上で自立運転可能なエンジン回転速度の閾値である切替設定回転速度とが予め設定されており、前記ガスエンジンをクランキング後、前記初期回転速度から前記切替設定回転速度未満では始動運転モードにて制御を行い、前記エンジン回転速度が前記切替設定回転速度以上となったら通常運転モードにて制御を行うように切り替え、
前記始動運転モードは、目標値となるエンジン回転速度指令値と、エンジン回転速度センサにて検出された実際のエンジン回転速度との偏差に基づいて前記スロットルバルブの目標開度を設定するフィードバック制御を行ってエンジン回転速度を制御し、一方、予め設定されたエンジン負荷率とエンジン回転速度とに基づく適正空気過剰率マップを用いて実際のエンジン回転速度における適正空気過剰率λを算出し、さらに実際のエンジン回転速度における実混合気流量Ｑｍｉｘをエンジンからの入力信号を基に算出し、該実混合気流量Ｑｍｉｘと前記適正空気過剰率λに基づいて最適な燃料ガス流量Ｑｇａｓを下記式（５）によって算出し、該算出した燃料ガス流量を燃料ガス流量指令値Ｑｇａｓ＿ｒｅｆとして前記燃料流量制御バルブの開度を制御して空燃比を制御し、
その後、前記エンジン回転速度が前記切替設定回転速度以上になった場合に通常運転モードに切り換え、
該通常運転モードは、一定回転速度の定格運転を行い、該定格運転の目標値となるエンジン回転速度指令値と、エンジン回転速度センサにて検出された実際のエンジン回転速度との偏差に基づいて算出した燃料ガス流量指令値Ｑｇａｓ＿ｒｅｆに基づいて前記燃料流量制御バルブを制御してエンジン回転速度を制御し、一方、前記算出した燃料ガス流量指令値Ｑｇａｓ＿ｒｅｆと、前記適正空気過剰率マップを用いて算出された実際のエンジン回転速度における適正空気過剰率λとに基づいて混合気流量指令値Ｑｍｉｘ_ｒｅｆを下記式（３）で算出し、該算出した混合気流量指令値Ｑｍｉｘ_ｒｅｆと、前記実際のエンジン回転速度における実混合気流量Ｑｍｉｘとの偏差に基づき前記スロットルバルブの目標開度を設定するフィードバック制御を行い空燃比を制御することを特徴とするガスエンジンの始動制御方法。
Ｑｍｉｘ＿ｒｅｆ＝Ｑｇａｓ＿ｒｅｆ（１＋λ・λｓｔ）    …（３）
Ｑｇａｓ＝Ｑｍｉｘ／（１＋λ・λｓｔ）    …（５）
Qmix_ref：混合気流量指令値[l/sec]、Qgas_ref：燃料ガス流量指令値[l/sec]、
Qmix：実混合気流量 [l/sec]、Qgas：燃料ガス流量 [l/sec]、
λ：適正空気過剰率（適正空気過剰率マップから得られた値）、
λst：理論空燃比。
【請求項２】
前記始動運転モードにて、始動開始時の前記実混合気流量Ｑｍｉｘの算出において、前記燃料制御バルブから前記燃焼室までの容量を総排気量に加算する容量補正処理を行うようにしたことを特徴とする請求項１記載のガスエンジンの始動制御方法。
【請求項３】
前記容量補正処理は、予め決められた補正継続時間が経過した時、若しくはエンジン回転速度が予め決められた設定回転速度に到達した時に、この補正処理を終了することを特徴とする請求項２記載のガスエンジンの始動制御方法。
【請求項４】
給気管を流れる空気中に、燃料流量制御バルブを介して導入される燃料ガスを混合し、この混合気をスロットルバルブにより流量調整して燃焼室に供給するガスエンジンであって、前記ガスエンジンの回転速度信号を検出する回転速度センサと、吸気圧力信号を検出する吸気圧力センサと、吸気温度信号を検出する吸気温度センサと、これらのセンサからの入力信号に基づいて制御を行う制御装置と、を備えたガスエンジンの始動制御装置において、
前記制御装置は、前記ガスエンジンをクランキングして、エンジンの始動が正常に開始されたと判断する初期回転速度と、該初期回転速度以上で自立運転可能なエンジン回転速度の閾値である切替設定回転速度とが予め設定されており、前記ガスエンジンをクランキング後、前記初期回転速度から前記切替設定回転速度未満での制御を行う始動運転モードと、前記エンジン回転速度が前記切替設定回転速度以上での制御を行う通常運転モードとを備えるとともに、これら運転モードを切り替える運転モード切替部を備え、
前記始動運転モードは、目標値となるエンジン回転速度指令値と、エンジン回転速度センサにて検出された実際のエンジン回転速度との偏差に基づいて前記スロットルバルブの目標開度を設定するフィードバック制御を行う速度制御部と、予め設定されたエンジン負荷率とエンジン回転速度とに基づく適正空気過剰率マップを用いて実際のエンジン回転速度における適正空気過剰率λを算出し、さらに実際のエンジン回転速度における実混合気流量Ｑｍｉｘをエンジンからの入力信号を基に算出し、該実混合気流量Ｑｍｉｘと前記適正空気過剰率λに基づいて最適な燃料ガス流量Ｑｇａｓを下記式（５）によって算出し、該算出した燃料ガス流量を燃料ガス流量指令値Ｑｇａｓ＿ｒｅｆとして前記燃料流量制御バルブの開度を制御する空燃比制御部とを有して構成され、
前記通常運転モードは、一定回転速度の定格運転を行い、該定格運転の目標値となるエンジン回転速度指令値と、エンジン回転速度センサにて検出された実際のエンジン回転速度との偏差に基づいて算出した燃料ガス流量指令値Ｑｇａｓ＿ｒｅｆに基づいて前記燃料流量制御バルブを制御する速度制御部と、該速度制御部で算出された燃料ガス流量指令値Ｑｇａｓ＿ｒｅｆと、前記適正空気過剰率マップを用いて算出された実際のエンジン回転速度における適正空気過剰率λとに基づいて混合気流量指令値Ｑｍｉｘ_ｒｅｆを下記式（３）で算出し、該算出した混合気流量指令値Ｑｍｉｘ_ｒｅｆと、前記実際のエンジン回転速度における実混合気流量Ｑｍｉｘとの偏差に基づき前記スロットルバルブの目標開度を設定するフィードバック制御を行う空燃比制御部とを有することを特徴とするガスエンジンの始動制御装置。
Ｑｍｉｘ＿ｒｅｆ＝Ｑｇａｓ＿ｒｅｆ（１＋λ・λｓｔ）    …（３）
Ｑｇａｓ＝Ｑｍｉｘ／（１＋λ・λｓｔ）    …（５）
Qmix_ref：混合気流量指令値[l/sec]、Qgas_ref：燃料ガス流量指令値[l/sec]、
Qmix：実混合気流量[l/sec]、Qgas：燃料ガス流量[l/sec]、
λ：適正空気過剰率（適正空気過剰率マップから得られた値）、
λst：理論空燃比。
【請求項５】
前記始動運転モードは、始動開始時の前記実混合気流量Ｑｍｉｘの算出にて、前記燃料制御バルブから前記燃焼室までの容量を総排気量に加算する容量補正手段を備えており、該容量補正手段は、予め決められた補正継続時間が経過した時、若しくはエンジン回転速度が予め決められた設定回転速度に到達した時に、この補正処理を終了する構成であることを特徴とする請求項４記載のガスエンジンの始動制御装置。
【発明の詳細な説明】
【技術分野】
【０００１】
本発明は、給気管から導入された空気中に燃料供給管から導入された燃料ガスを混合し、この混合気を混合気供給管より燃焼室に供給して燃焼せしめるガスエンジンに適用され、前記燃料供給管上に燃料ガス流量を調整する燃料流量制御バルブと、前記混合気供給管上に混合気流量を調整するスロットルバルブとを備えるとともに、これらの流量バルブによりエンジン回転速度と空燃比とを統合的に制御する電子制御ユニットを備えたガスエンジンの始動制御方法及び装置に関し、特に、高精度の空燃比制御を維持しながら負荷応答性を改善することができ、さらに始動時間が短く且つ始動性が良好であるガスエンジンの始動制御方法及び装置に関する。
【背景技術】
【０００２】
ガスエンジンは、天然ガス、都市ガス等の気体燃料（燃料ガス）を用いて燃焼運転する内燃機関であり、高効率且つ高出力を得られることから主に常用・非常用発電用エンジンや建設機械用エンジン、船舶、鉄道等に搭載されるエンジン等に幅広く利用されている。また、ガスエンジンでは発電機による電力供給のみならず廃熱を温水の加熱源などに利用できるため、エネルギの利用効率に優れている。
ガスエンジンにおいては、給気管から導入された空気中にガスミキサを介して燃料ガスを供給し、空気と燃料ガスからなる混合気を混合気供給管を介してエンジンの燃焼室に供給して燃焼運転を行い、駆動力を得る構成となっている。
【０００３】
図１０に、従来の一般的なガスエンジンを示す。尚、ここでは一例として、過給機付き希薄燃焼ガスエンジンで、且つ点火用副室を有する構成につき示している。
同図に示されるように、該ガスエンジン１においては、エンジン燃焼用の空気は給気管１０よりガスミキサ１２に導入され、燃料ガスは燃料供給管１３より分岐された主室燃料供給管１４を通り、主室レギュレータ１５で調圧され、主室燃料流量制御バルブ１６にて流量調整された後ガスミキサ１２に導入され、前記空気と混合され希薄混合気となる。該混合気は過給機２５のコンプレッサ２６で圧縮され、混合気供給管２０から吸気弁が開く吸気行程中にシリンダ２内に導入され、燃焼に供される。燃焼後の排気ガスは、排気管２８を経て過給機２５のタービン２７を駆動し、外部に排出される。
一方、副室ガスは、燃料供給管１３から分岐した副室燃料供給管２１を介して副室レギュレータ２３で調圧された後、シリンダヘッド３に設けられた副室８内に導入され、圧縮上死点近くになると副室８の上部に付設された点火プラグのスパークにより副室内のガスが点火される。点火した火炎は主燃焼室（主室）７内へ噴出し、該主燃焼室内の混合気が点火されるようになっている。
【０００４】
このようなガスエンジンにおいては、ノッキングや失火を回避した最適な燃焼状態を維持し、また排気ガス中の有害物質の排出を抑制するために、発熱量等の燃料ガス特性に応じた空燃比制御を行うことが必要である。
そこで従来は、適正な燃焼状態で且つ適正な排ガス性状が維持される所定の空燃比となるように、燃料流量制御バルブ１６により空燃比制御された混合気が形成され、この所定空燃比の混合気が混合気供給管２０を介してガスエンジン１の主燃焼室７に供給されるようにしていた。
一方、空燃比制御とともに、負荷の増減に対して一定の回転・出力を得るためにエンジン回転速度制御も必要とされるが、これは上記所定空燃比に設定された混合気の流量をスロットルバルブ１８にて開度制御することにより主燃焼室７に供給されるガス流量を調整し、速度制御を行っていた。
このように、従来のガスエンジンの制御では、上記した空燃比制御と速度制御からなる混合気制御方式が多く採用されていた。
【０００５】
また、ガスエンジンの空燃比制御の別の方法として、特許文献１（特開平５−１４１２９８号公報）に開示されるように、ガスエンジンの排気管に酸素センサを配設し、該酸素センサで検出された排気ガス中の酸素濃度に基づいてガスエンジンの空燃比が理論空燃比に対してリッチ状態にあるかリーン状態にあるかを検出し、その結果に基づいて空燃比を制御する制御方法がある。
【０００６】
さらにまた、特許文献２（特開２００３−２６２１３９号公報）には、過給機のコンプレッサにより加圧された空気が、給気通路を介して複数存在するシリンダの夫々に設けられた燃料噴射装置に供給され、一方燃料供給管からの燃料ガスは各燃料噴射装置に導入され、該燃料噴射装置にて混合された混合気が各シリンダに供給される構成を備えたガスエンジンの制御方法につき開示されている。
この制御方法は、ガスエンジンの運転時において、燃料供給通路中の燃料流量の検出値に基づいて必要空気量を算出するとともに、給気通路における給気圧力及び給気温度の検出値に基づき実空気量を算出し、実空気量が必要空気量に一致するように、給気通路における給気量を制御するようになっている。
【０００７】
一方、ガスエンジンの制御においては、燃料ガスの発熱量が低いため始動時に着火し難いという問題があった。そこで、特許文献３（特開平６−２６４８２２号公報）では、始動を簡単に行うことを可能としたガスエンジンの始動空燃比制御装置を提案している。これは、給気管の通路に配置したエアクリーナに流入空気量調整弁を設け、エンジンの始動状態にてこの調整弁を閉弁側に作動し、混合気を濃混合比に制御するとともにエンジンが始動状態を脱したら調整弁を全開状態にして、混合気を所定の空気過剰率に制御するようにしている。これにより、始動時に着火しやすくなり始動性の良いガスエンジンとすることができる。
【０００８】
【特許文献１】特開平５−１４１２９８号公報
【特許文献２】特開２００３−２６２１３９号公報
【特許文献３】特開平６−２６４８２２号公報
【発明の開示】
【発明が解決しようとする課題】
【０００９】
しかしながら、上記したような従来の混合気制御方式では、空燃比制御が容易であるという利点を有するものの、出力変化に対する応答が遅いという問題があった。特に、負荷投入時や負荷遮断時における応答が遅く、高性能化を達成するためにより良好な負荷応答性が求められていた。また、応答性の問題の一つとして、出力を安定させるために微調整しても応答が遅いため回転・出力が不安定化するという問題もある。
【００１０】
エンジン回転速度制御を迅速に行う方法として、出力変化に対応して燃料ガス流量を制御するガス制御方式もあるが、従来のガス制御方式では空燃比制御が困難であるため安定した燃焼制御が図れなかった。また空燃比を適正に保つことが難しいため排気ガス規制遵守などの障害になりやすいという問題もあった。さらに、従来の一般的なガス制御方式では、燃料流量制御バルブの開度などの供給燃料量を定量的に把握できない制御となるため、過度な燃料供給によるエンジンのオーバーランや過負荷が発生しやすかった。特に、負荷投入時や負荷遮断時などの過渡運転時において、空燃比の精密な制御が困難であることにより負荷投入時のストールや異常燃焼などが発生しやすかった。
また、従来の混合気制御方式では、出力を確保するために過給圧力に余裕を持つ必要があり、スロットルバルブで発生するポンピングロスによる熱効率の低下が避けられなかった。一方、ガス制御方式では出力不足やポンピングロスの問題はないが、空燃比を適正に保つことが困難で、排気ガス規制に対応することが難しかった。
【００１１】
さらに、特許文献１に記載されるように、酸素センサからの検出信号をフィードバック信号として用いた空燃比制御では、酸素センサが高価であるためコストが高くなってしまう。
一方、特許文献２に記載されるガスエンジンは、複数のシリンダの夫々に燃料噴射装置、燃料供給量調整弁を備えた構成であり、本願とは基本構成が異なるものであるが、個々にこれらの装置を備えているため大型のエンジンに適用される場合はよいが、小型化は困難である。さらに、コンプレッサから送られた空気を給気放出弁にて排出することにより空気量を調整しているため効率が悪く、コンプレッサも大型化することとなる。
【００１２】
また、特許文献３に記載されるように混合気制御方式においては、混合気の空気過剰率を低く設定し濃混合比とすることにより始動性は改善するが、始動後負荷投入した際に上記したような応答性が悪い等の問題が発生する。これに対してガス制御方式では、燃料流量制御バルブ開度調整やスロットルバルブ開度調整などに基づく始動制御のため、始動が不安定になりがちである。
さらにまた、従来の制御装置では、空燃比制御と速度制御を夫々別個の制御装置にて行っていたが、制御装置は高価であるためコストが嵩むという問題があり、また夫々の制御の連携が困難であり一連の円滑な制御が難しいという問題もあった。
【００１３】
従って、本発明は上記従来技術の問題点に鑑み、空燃比制御と速度制御を一元化して連携制御することにより円滑で高性能な運転制御を可能とし、さらには高精度の空燃比制御を維持しながら負荷応答性を向上させるとともに、始動時間が短く且つ始動性が良好であるガスエンジンの始動制御方法及び装置を提供することを目的とする。
【課題を解決するための手段】
【００１４】
そこで、本発明はかかる課題を解決するために、給気管を流れる空気中に、燃料流量制御バルブを介して導入される燃料ガスを混合し、この混合気をスロットルバルブにより流量調整して燃焼室に供給するようにしたガスエンジンの始動制御方法において、
前記ガスエンジンをクランキングして、エンジンの始動が正常に開始されたと判断する初期回転速度と、該初期回転速度以上で自立運転可能なエンジン回転速度の閾値である切替設定回転速度とが予め設定されており、前記ガスエンジンをクランキング後、前記初期回転速度から前記切替設定回転速度未満では始動運転モードにて制御を行い、前記エンジン回転速度が前記切替設定回転速度以上となったら通常運転モードにて制御を行うように切り替え、
前記始動運転モードは、目標値となるエンジン回転速度指令値と、エンジン回転速度センサにて検出された実際のエンジン回転速度との偏差に基づいて前記スロットルバルブの目標開度を設定するフィードバック制御を行ってエンジン回転速度を制御し、一方、予め設定されたエンジン負荷率とエンジン回転速度とに基づく適正空気過剰率マップを用いて実際のエンジン回転速度における適正空気過剰率λを算出し、さらに実際のエンジン回転速度における実混合気流量Ｑｍｉｘをエンジンからの入力信号を基に算出し、該実混合気流量Ｑｍｉｘと前記適正空気過剰率λに基づいて最適な燃料ガス流量Ｑｇａｓを下記式（５）によって算出し、該算出した燃料ガス流量を燃料ガス流量指令値Ｑｇａｓ＿ｒｅｆとして前記燃料流量制御バルブの開度を制御して空燃比を制御し、
その後、前記エンジン回転速度が前記切替設定回転速度以上になった場合に通常運転モードに切り換え、
該通常運転モードは、一定回転速度の定格運転を行い、該定格運転の目標値となるエンジン回転速度指令値と、エンジン回転速度センサにて検出された実際のエンジン回転速度との偏差に基づいて算出した燃料ガス流量指令値Ｑｇａｓ＿ｒｅｆに基づいて前記燃料流量制御バルブを制御してエンジン回転速度を制御し、一方、前記算出した燃料ガス流量指令値Ｑｇａｓ＿ｒｅｆと、前記適正空気過剰率マップを用いて算出された実際のエンジン回転速度における適正空気過剰率λとに基づいて混合気流量指令値Ｑｍｉｘ_ｒｅｆを下記式（３）で算出し、該算出した混合気流量指令値Ｑｍｉｘ_ｒｅｆと、前記実際のエンジン回転速度における実混合気流量Ｑｍｉｘとの偏差に基づき前記スロットルバルブの目標開度を設定するフィードバック制御を行い空燃比を制御することを特徴とする。
Ｑｍｉｘ＿ｒｅｆ＝Ｑｇａｓ＿ｒｅｆ（１＋λ・λｓｔ）    …（３）
Ｑｇａｓ＝Ｑｍｉｘ／（１＋λ・λｓｔ）    …（５）
Qmix_ref：混合気流量指令値[l/sec]、Qgas_ref：燃料ガス流量指令値[l/sec]、
Qmix：実混合気流量 [l/sec]、Qgas：燃料ガス流量 [l/sec]、
λ：適正空気過剰率（適正空気過剰率マップから得られた値）、
λst：理論空燃比。
【００１５】
本発明によれば、始動運転モードと通常運転モードを切り替え可能としたため、運転状態に応じた最適な制御が可能となる。
即ち、通常運転モードにおいては、出力変化に対する応答性の向上及び出力制御の安定化が図れるとともに、精度良く空燃比制御を行うことが可能で、特に、負荷投入時や負荷遮断時等の過渡運転時における負荷応答性の向上が達成できる。
一方、始動運転モードにおいては、実混合気流量Ｑｍixと適正空気過剰率λから最適な燃料ガス流量指令値Ｑｇａｓ＿ｒｅｆを計算し、該燃料ガス流量指令値Ｑｇａｓ＿ｒｅｆに基づいて燃料流量制御バルブにより燃料ガス流量を制御するようにしているため、始動時に適切な空気過剰率を有する混合気を燃焼室に供給することができ、混合気が着火しやすく始動性を良好に保つことが可能となる。
【００１６】
【００１７】
本発明における通常運転モードでは、混合気流量制御にスロットルバルブを用いているが、各種温度圧力の計測値から燃料流量制御バルブを用いて精度良く空燃比制御を行うことが可能で、混合気制御とガス制御方式の両利点をバランスさせることにより、適切な空燃比を保ちながらポンピングロス、即ちスロットル損失を最小限に抑えることが可能となる。さらに、各種温度圧力の計測値から燃料流量制御バルブとスロットルバルブを用いて精度良く空燃比制御を実現することが可能であるため、高価な排気ガスセンサ（酸素センサ）が不要となり、装置を安価にすることができる。尚、本発明においては、前記エンジン回転速度の代わりに、エンジン負荷、エンジン出力を用いるようにしてもよい。
【００１８】
さらに、前記始動運転モードにて、始動開始時の実混合気流量Ｑｍixの算出において、前記燃料流量制御バルブから前記燃焼室までの容量を総排気量に加算する容量補正処理を行うようにしたことを特徴とする。
ガスエンジンの始動開始時には、燃料流量制御バルブから燃焼室までの燃料供給管及び混合気供給管（マニホールド内）には燃料ガスが存在しないため、燃料ガスを供給した後燃焼室に到達するまでに時間がかかってしまう。従って、本発明では、上記した容量補正処理を行うことで、マニホールド容量分のガス流量を増加することができ、始動時間を短縮することが可能となる。
【００１９】
さらにまた、前記容量補正処理は、予め決められた補正継続時間が経過した時、若しくはエンジン回転速度が予め決められた設定回転速度に到達した時に、この補正処理を終了することを特徴とする。
これにより、始動初期の必要な時期だけ容量補正処理を適用することができ、精度の高い運転制御が可能となる。
【００２０】
また、給気管を流れる空気中に、燃料流量制御バルブを介して導入される燃料ガスを混合し、この混合気をスロットルバルブにより流量調整して燃焼室に供給するガスエンジンであって、前記ガスエンジンの回転速度信号を検出する回転速度センサと、吸気圧力信号を検出する吸気圧力センサと、吸気温度信号を検出する吸気温度センサと、これらのセンサからの入力信号に基づいて制御を行う制御装置と、を備えたガスエンジンの始動制御装置において、
前記制御装置は、前記ガスエンジンをクランキングして、エンジンの始動が正常に開始されたと判断する初期回転速度と、該初期回転速度以上で自立運転可能なエンジン回転速度の閾値である切替設定回転速度とが予め設定されており、前記ガスエンジンをクランキング後、前記初期回転速度から前記切替設定回転速度未満での制御を行う始動運転モードと、前記エンジン回転速度が前記切替設定回転速度以上での制御を行う通常運転モードとを備えるとともに、これら運転モードを切り替える運転モード切替部を備え、
前記始動運転モードは、目標値となるエンジン回転速度指令値と、エンジン回転速度センサにて検出された実際のエンジン回転速度との偏差に基づいて前記スロットルバルブの目標開度を設定するフィードバック制御を行う速度制御部と、予め設定されたエンジン負荷率とエンジン回転速度とに基づく適正空気過剰率マップを用いて実際のエンジン回転速度における適正空気過剰率λを算出し、さらに実際のエンジン回転速度における実混合気流量Ｑｍｉｘをエンジンからの入力信号を基に算出し、該実混合気流量Ｑｍｉｘと前記適正空気過剰率λに基づいて最適な燃料ガス流量Ｑｇａｓを下記式（５）によって算出し、該算出した燃料ガス流量を燃料ガス流量指令値Ｑｇａｓ＿ｒｅｆとして前記燃料流量制御バルブの開度を制御する空燃比制御部とを有して構成され、
前記通常運転モードは、一定回転速度の定格運転を行い、該定格運転の目標値となるエンジン回転速度指令値と、エンジン回転速度センサにて検出された実際のエンジン回転速度との偏差に基づいて算出した燃料ガス流量指令値Ｑｇａｓ＿ｒｅｆに基づいて前記燃料流量制御バルブを制御する速度制御部と、該速度制御部で算出された燃料ガス流量指令値Ｑｇａｓ＿ｒｅｆと、前記適正空気過剰率マップを用いて算出された実際のエンジン回転速度における適正空気過剰率λとに基づいて混合気流量指令値Ｑｍｉｘ_ｒｅｆを下記式（３）で算出し、該算出した混合気流量指令値Ｑｍｉｘ_ｒｅｆと、前記実際のエンジン回転速度における実混合気流量Ｑｍｉｘとの偏差に基づき前記スロットルバルブの目標開度を設定するフィードバック制御を行う空燃比制御部とを有することを特徴とする。
Ｑｍｉｘ＿ｒｅｆ＝Ｑｇａｓ＿ｒｅｆ（１＋λ・λｓｔ）    …（３）
Ｑｇａｓ＝Ｑｍｉｘ／（１＋λ・λｓｔ）    …（５）
Qmix_ref：混合気流量指令値[l/sec]、Qgas_ref：燃料ガス流量指令値[l/sec]、
Qmix：実混合気流量 [l/sec]、Qgas：燃料ガス流量 [l/sec]、
λ：適正空気過剰率（適正空気過剰率マップから得られた値）、
λst：理論空燃比。
【００２１】
さらに、前記始動運転モードは、始動開始時の実混合気流量の算出にて、前記燃料流量制御バルブから前記燃焼室までの容量を総排気量に加算する容量補正手段を備えており、該容量補正手段は、予め決められた補正継続時間が経過した時、若しくはエンジン回転速度が予め決められた設定回転速度に到達した時に、この補正処理を終了する構成であることを特徴とする。
【発明の効果】
【００２２】
以上記載のごとく本発明によれば、始動運転モードと通常運転モードを切り替え可能としたため、運転状態に応じた最適な制御が可能となる。
即ち、通常運転モードにおいては、出力変化に対する応答性の向上及び出力制御の安定化が図れるとともに、精度良く空燃比制御を行うことが可能で、特に、負荷投入時や負荷遮断時等の過渡運転時における負荷応答性の向上が達成できる。
一方、始動運転モードにおいては、実混合気流量Ｑｍiｘと適正空気過剰率λから最適な燃料ガス流量指令値Ｑｇａｓ＿ｒｅｆを計算し、該燃料ガス流量指令値Ｑｇａｓ＿ｒｅｆに基づいて燃料流量制御バルブにより燃料ガス流量を制御するようにしているため、始動時に適切な空気過剰率を有する混合気を燃焼室に供給することができ、混合気が着火しやすく始動性を良好に保つことが可能となる。
【００２３】
さらに、始動運転モードにおいて、燃料流量制御バルブから燃焼室までの容量を総排気量に加算する容量補正処理を行うことにより、始動時間を短縮することが可能となる。
また、速度制御部と空燃比制御部を一元化して連携制御する構成としたため、円滑で高性能な運転制御が可能となるとともに、高価な制御装置を複数設置する必要がなくなり、さらに高価な排ガスセンサを設置しなくてもよいことから大幅なコストダウンが可能となる。
【発明を実施するための最良の形態】
【００２４】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
図１は本発明の一実施例に係るガスエンジンとその制御装置を示す全体構成図、図２は本発明の実施例に係る始動制御を示すフローチャート、図３は本実施例に係る始動運転モードを示すブロック線図、図４及び図５は本実施例に係る容量補正処理を説明する図、図６は本実施例に係る通常運転モードを示すブロック線図、図７はガス流量リミットマップの一例を示す図、図８は空気過剰率リミットマップの一例を示す図、図９は適正空気過剰率マップの一例を示す図である。
【００２５】
（装置構成）
図１を参照して、本実施例に係るガスエンジンの全体構成につき説明する。本実施例では、一例として発電機を駆動するための過給機付き希薄燃焼ガスエンジンで、且つ点火用副室を有する構成につき示しているが、本実施例の構成はこの形式のガスエンジンに限定されるものではなく、過給機を備えないガスエンジン、或いは希薄燃焼（リーンバーン）以外の燃焼方式によるガスエンジンにも適用可能である。
【００２６】
同図に示すように、発電機４０を駆動するガスエンジン１は、空気と燃料ガスからなる混合気を主燃焼室（主室）７に供給するための混合気供給管２０と、燃焼後の排気ガスを主室７から外部に排出するための排気管２８とを備えている。前記混合気供給管２０と前記排気管２８は、夫々過給機２５のコンプレッサ２６とタービン２５に接続されている。
また、前記ガスエンジン１はシリンダ２とその上部にシリンダヘッド３を有し、クランクシャフト５にはコンロッド６を介してピストン４が連結され、シリンダ２内を上下移動自在に支持している。そして、ピストン４の上部には主燃焼室７が形成され、シリンダヘッド３には該主燃焼室７と副室噴孔を介して連通される副室８が形成されている。
【００２７】
空気を給気する給気管１０には、給気中のごみや異物を除去するエアクリーナ１１と、空気と燃料ガスを混合するガスミキサ１２とが接続されている。該ガスエンジン１に燃料ガスを供給する燃料供給管１３は、主室燃料供給管１４と副室燃料供給管２１とに分岐され、主室燃料供給管１４は、前記給気管１０にガスミキサ１２を介して接続されている。前記主室燃料供給管１４には、主室７へ供給される燃料ガスを所定の圧力に調圧する主室レギュレータ１５と、主室７へ供給する燃料ガスの流量を調整する主室燃料流量制御バルブ（燃料流量メータリングバルブ）１６とが設けられている。該主室燃料流量制御バルブ１６は、電子制御により流体の流量を調節することができる可変のバルブであり、その構成は公知である。前記副室燃料供給管２１には、副室８へ供給される燃料ガスを圧縮するコンプレッサ２２と、該燃料ガスを所定の圧力に調圧する副室レギュレータ２３と、副室差圧を制御する差圧制御バルブ２４とが設けられている。
【００２８】
前記過給機２５は、前記シリンダ２の排気ポートから排気管２８を通って導入される排気ガスによって駆動されるタービン２７と、該タービン２７と同軸に配設された空気圧縮用のコンプレッサ２６よりなる周知の装置構成を有する。
前記ガスミキサ１２の後流側には前記コンプレッサ２６が接続されており、その下流には該コンプレッサ２６で圧縮された混合気をシリンダ４の吸気ポートへ供給する混合気供給管２０が接続されている。
前記混合気供給管２０上には、前記シリンダ２の吸気ポートへ供給する混合気流量を調整するスロットルバルブ１８が設けられている。該スロットルバルブ１８は、ガバナ（調速装置）１９に接続されており、バルブの開度により混合気流量が調整されるようになっている。尚、該混合気供給管２０の下流側及び排気管２８は、複数の燃焼室７に接続された多数の分岐管に別れているが、図１では簡略化して１本の分岐管のみが描かれている。
【００２９】
上記した構成のガスエンジン１においては、給気管１０より吸入された燃焼用の空気はガスミキサ１２に導入され、燃料ガスは燃料供給管１３から主室燃料供給管１４を通って主室レギュレータ１５に導入されて調圧された後、燃料流量制御バルブ１６にて流量調整されてガスミキサ１２へ導入される。空気と燃料ガスはガスミキサ１２で混合され、希薄混合気となり過給機２５のコンプレッサ２６で圧縮され、混合気供給管２０を通ってスロットルバルブ１８にて混合気流量を調整された後、シリンダヘッド３に設けられた吸気ポートに供給され、該吸気ポートの吸気弁が開く吸気行程にシリンダ２内に吸入される。一方、燃料ガスの一部は燃料供給管１３から副室燃料供給管２１を通って副室レギュレータ２３で調圧された後、副室８に導入される。このとき、副室レギュレータ２３の出口側の副室ガス圧の設定は、混合気供給管２０の内圧と副室燃料供給圧の差圧に基づき負荷に応じた適正な圧力に設定される。該副室８内の副室ガスは、圧縮行程にて圧縮上死点になると点火プラグのスパークにより点火され、点火した火炎はシリンダ２内へ噴出し主室７内の混合気が点火され、膨張行程にて全体に火炎伝播し、やがて燃焼は終了する。燃焼後の排ガスは、排気行程にて排気ポートより排気管２８を介して排出される。
【００３０】
また、本実施例に係るガスエンジン１は、エンジンの動作状態を検出するセンサが複数設置されている。本実施例では、混合気供給管２０上に、吸気圧力（マニホールド圧力：ＭＡＰ）を検出するＭＡＰセンサ３０が設けられるとともに、吸気温度（マニホールド温度：ＭＡＴ）を検出するＭＡＴセンサ３１とが設けられている。ガスエンジン１には、エンジン回転速度を検出する回転速度センサ３２が設けられている。その他、副室ガス圧を検出する副室ガス圧センサ３３、副室差圧を検出する副室差圧センサ３４、トルクを検出するトルク検出センサ（図示略）等が設けられている。
前記ガスエンジン１により駆動される発電機４０は発電機制御盤４１に接続され、該発電機制御盤４１により、該発電機４０が具備する遮断器の制御等の発電機全般の制御を行うようになっている。
【００３１】
ガスエンジン１の運転は、エンジン電子制御ユニット（ＥＣＵ）５０によって制御される。該エンジン電子制御ユニット５０は、内部にＣＰＵ、ＲＡＭ、ＲＯＭ等を備えるコンピュータとして構成されており、これらの機器により、エンジン回転速度を制御する機能を有する速度制御部５１と、空燃比制御を行う機能を有する空燃比制御部５２とが構成される。前記速度制御部５１と前記空燃比制御部５２は互いに連携制御されるようになっている。さらに、運転モード切替部５３を有しており、該運転モード切替部５３により前記速度制御部５１と前記空燃比制御部５２の制御動作を切り替えて、運転状態に応じた運転モードを設定するようになっている。
前記エンジン電子制御ユニット５０には、上記したＭＡＰセンサ３０、ＭＡＴセンサ３１、回転速度センサ３２等の種々のセンサからの検出信号、或いは発電機制御盤４１からの遮断信号等が入力されるとともに、これらの入力信号に基づいて各種演算処理を行い、演算結果を出力信号として各種バルブに送信し、制御を行うようになっている。出力信号としては、燃料ガス流量指令信号、スロットル開度制御信号、副室差圧制御バルブ開度信号等が挙げられる。
【００３２】
また、副室８を備えたガスエンジン１の場合、前記エンジン電子ユニット５０にて、ＭＡＰセンサ３０からの吸気圧力信号、副室ガス圧センサ３３からの副室ガス圧信号、副室差圧センサ３４からの副室差圧信号を夫々入力信号として副室差圧制御を行う副室差圧制御部（図示略）を備えている。この副室差圧制御部は、吸気圧力と副室ガス圧と副室差圧の相関関係、即ち、（副室ガス圧）＝（副室差圧）−（吸気圧力）の関係を利用して、前記吸気圧力、前記副室ガス圧、前記副室差圧の何れか２の圧力から他の圧力を求める演算手段を備えている。これにより、何れかの圧力センサに異常が発生した場合であっても、正常な他の２つの圧力センサからの検出信号に基づいて圧力を算出することが可能となり、同種の圧力センサを複数設置することを廃止できる。
【００３３】
（始動制御）
本実施例の始動制御においては、前記エンジン電子制御ユニット５０にて、運転モード切替部５３により速度制御部５１と空燃比制御部５２の制御動作を夫々切り替えることによって、始動運転モードＡと通常運転モードＢに適宜設定可能な構成となっている。
始動運転モードＡは、空燃比制御部５２にて、実混合気流量Ｑｍiｘと適正空気過剰率λに基づいて最適な燃料ガス流量指令値Ｑｇａｓ＿ｒｅｆを算出し、該燃料ガス流量指令値Ｑｇａｓ＿ｒｅｆに応じて前記燃料流量制御バルブ１６により燃料ガス流量を制御して空燃比制御を行うようにし、一方、速度制御部５１にて、エンジン回転速度信号に基づいてスロットルバルブ１８を開度制御し、混合気流量を調整して速度制御を行うようにしている。
【００３４】
通常運転モードＢは、速度制御部５１にて、エンジン回転速度センサ３２にて検出されたエンジン回転速度信号と、その目標値となる速度指令値信号との偏差に基づいて燃料ガス流量指令値Ｑｇａｓ＿ｒｅｆを演算し、該燃料ガス流量指令値Ｑｇａｓ＿ｒｅｆに応じて前記燃料流量制御バルブ１６の燃料ガス流量を設定することにより速度制御を行うようにし、一方、空燃比制御部５２にて、前記燃料ガス流量指令値Ｑｇａｓ＿ｒｅｆに対して適正空気過剰率λとなる混合気流量指令値Ｑｍｉｘ_ｒｅｆを算出し、該混合気流量指令値Ｑｍｉｘ_ｒｅｆと、前記ガスエンジン１からの入力信号より算出された実混合気流量Ｑｍiｘとの偏差に基づき前記スロットルバルブ１８の目標開度を設定するフィードバック制御を行い、空燃比制御を行うようにしている。
【００３５】
図２に、本実施例に係る始動制御フローを示す。同図に示されるように、ガスエンジン１をクラッキングして始動制御を開始し、エンジン回転速度が初期回転速度以上（Ｓ１）となったら始動が正常に開始されたと判断し、始動運転モードＡに設定する（Ｓ２）。前記初期回転速度は、例えば８５ｍｉｎ−１とする。始動運転モード中には、ガスエンジン１の点火プラグに点火するなどの始動に関わる操作が行われる。
始動運転モードＡにて回転速度は上昇していくが、ここで、エンジン回転速度が予め設定された切替設定回転速度以上か否かを判断する（Ｓ３）。この切替設定回転速度とは、自立運転可能なエンジン回転速度の閾値で、例えば５００ｍｉｎ−１とする。即ち、エンジン回転速度が切替設定回転速度以上であれば、燃焼室内の混合気が円滑に着火されており、スタータモータが停止してエンジンの自立運転が確立されている状態である。エンジン回転速度が前記切替設定回転速度未満であれば、始動運転モードを継続する（Ｓ２）。
【００３６】
エンジン回転速度が前記切替設定回転速度以上であれば、運転モード切替部５３により始動運転モードＡから通常運転モードＢに切り替える（Ｓ４）。そして、運転条件が定格運転かアイドル運転かを判断し（Ｓ５）、定格運転の場合には、エンジン回転速度が定格回転速度以上となったら（Ｓ６）始動制御を終了する（Ｓ７）。一方、アイドル運転の場合には、エンジン回転速度がアイドル回転速度以上となったら（Ｓ８）始動制御を終了する（Ｓ９）。尚、始動終了後も通常運転モードＢを継続して行うことが好ましい。
【００３７】
（通常運転モードＢ）
図６を参照して、通常運転モードＢにおける具体的な制御フローにつき説明する。
まず、速度制御部５１による燃料ガス流量制御につき以下に示す。
定格運転時の目標値となるエンジン回転速度指令値信号と、エンジン回転速度センサ３２にて検出された実際のエンジン回転速度信号との偏差に基づいてＰＩＤ演算により燃料ガス流量指令値を算出する。尚、前記エンジン回転速度指令値は、定格運転時、増速運転時、減速運転時の夫々にて設定速度は変更される。また、アイドル運転、定格運転、増速リミット、減速リミットの設定速度は変更可能とする。また、本実施例において、前記エンジン回転速度の代わりに、エンジン負荷、エンジン出力を用いるようにしてもよい。
【００３８】
次いで、算出された燃料ガス流量指令値に対して、リミット処理を行う。リミット処理は、燃料ガス流量の少なくとも上限値からなる制限範囲が予め設定されており、前記ＰＩＤ演算により算出された燃料ガス流量指令値がこの上限値を超える場合は、該制限範囲内となるように燃料ガス流量指令値を修正する。尚、該制限範囲は、上限下限からなる範囲としてもよい。
この制限範囲は、物理的意味を有するある一定の条件に基づき設定され、例えば以下の条件が考えられる。尚、制限範囲を決定する条件については、以下に示す条件のみに限定されない。
【００３９】
具体例として、定常運転において、ガスエンジン自体の許容耐久性に基づいて制限範囲を設定する方法が挙げられる。これは、ガスエンジン１の許容回転速度、許容負荷率等の許容耐久性を条件としており、例えば図７に示されるガス流量リミットマップに基づいて制限範囲が設けられる。このガス流量リミットマップは、エンジン回転速度と、負荷の代替としてＭＡＰ（％）（全負荷運転に対するマニホールド圧の割合）とがパラメータとして用いられ、予めエンジン回転速度とＭＡＰ（％）に応じたガス流量の上限値が定められている。そして、エンジン回転速度とＭＡＰ（％）の入力信号からガス流量リミットマップに基づきその時点におけるガス流量上限値を求め、該ガス流量上限値を、前記ＰＩＤ演算により求めた燃料ガス流量指令値の上限とする。
本方法によれば、ガスエンジン１の耐久性の範囲内で運転制御できるため、ガスエンジン１の不具合や故障、異常な劣化を防止することが可能である。
【００４０】
また、他の具体例として、過渡運転時において、ガスエンジン１の空燃比に基づいて制限範囲を設定する方法が挙げられる。好適には、空気過剰率λが０．５〜２．２の範囲内になるように制限範囲を設定する。これは、適正な燃焼状態が得られる空燃比から得られる範囲である。
この方法では、燃焼可能な混合気の空気過剰率を要件としており、例えば図８に示される空気過剰率リミットマップに基づいて制限範囲が設けられる。この空気過剰率リミットマップは、エンジン回転速度と、負荷の代替としてＭＡＰ（％）とが用いられ、予めエンジン回転速度とＭＡＰ（％）に応じた空気過剰率の下限値が定められている。そして、エンジン回転速度とＭＡＰ（％）の入力信号から空気過剰率リミットマップに基づきその時点における空気過剰率下限値を求め、さらに該空気過剰率下限値からこれに対応する燃料ガス流量を計算し、これを燃料ガス流量上限値とする。そして上記と同様に、該燃料ガス流量上限値を、前記ＰＩＤ演算により求めた燃料ガス流量指令値の上限とする。
【００４１】
尚、空気過剰率下限値からの燃料ガス流量上限値Ｑｇａｓ＿ｌｉｍｉｔの計算は以下の式（１）により行う。
【数１】
0004755154.tif 000002
ここで、Qgas_limit ：燃料ガス流量上限値[l/sec]、Qmix：実混合気流量[l/sec]、λst：理論空燃比[l/sec]、λlim：空気過剰率下限値（空気過剰率リミットマップから得られた値）である。
本方法によれば、燃焼制御に際して適性な空燃比内で燃料供給することができるため、かかるリミット処理を行うことにより失火や異常燃焼を防止することが可能である。
【００４２】
上記したように、ＰＩＤ演算により算出した燃料ガス流量指令値に対してリミット処理を行うことにより、各種運転条件における燃料供給量の定量的制限が可能となり、制限設定実施者は適用対象エンジンに対して物理的に意味のある制限値を設けることができる。
このリミット処理は、複数段階設定するようにしてもよく、この場合最も制限範囲が小さいリミット値に合わせるものとする。或いは、リミット処理を複数段階設定し、運転条件に応じて使い分けるようにしてもよい。また、リミット処理の他の条件設定として、ガスエンジン１の性能に基づいて制限範囲を設定する方法、発電機４０の発電効率に基づいて制限範囲を設定する方法、排ガス性状に基づいて制限範囲を設定する方法など、種々の条件に基づき設定可能である。
【００４３】
ＰＩＤ演算後、リミット処理を経て得られた燃料ガス流量指令値に対して、必要に応じて燃料ガス流量補正処理を行うようにしてもよい。
この燃料ガス流量補正処理は、ガスエンジン１の出力変化に関連した入力信号の時系列変化量が基準範囲を超えた場合に、前記速度制御部５１にて燃料流量制御バルブ１６の制御量を補正するものであり、主に負荷投入時や負荷遮断時等の過渡応答時に適用される。前記基準範囲は予め設定されているものである。
前記ガスエンジン１の出力変化に関連した入力信号は、該出力変化に連動して変化する信号のことであり、例えばエンジン回転速度信号、負荷信号、吸気圧力信号、発電機４０又はガスエンジン１の異常／停止信号等が挙げられる。
このように、前記速度制御部５１では上記したＰＩＤ演算、リミット処理、燃料流量補正処理により得られた燃料ガス流量指令値Ｑｇａｓ＿ｒｅｆを出力信号とし、前記主室燃料流量制御バルブ１６を制御して主室燃料ガス流量を調整し、速度制御を行うようになっている。
【００４４】
次に、空燃比制御部５２による混合気流量制御につき以下に示す。
前記速度制御部５１で算出された燃料ガス流量指令値Ｑｇａｓ＿ｒｅｆと、エンジン回転速度信号に基づいてエンジン負荷率（ＬＯＡＤ）を算出する。エンジン負荷率は、以下の式（２）により算出できる。
【数２】
0004755154.tif 000003
ここで、LOAD：エンジン負荷率[%]、Qgas_ref：燃料ガス流量指令値[l/sec]、Gas _MAX：エンジン出力最大時に使用するガス流量[l/sec]、MAX_Sp：最大エンジン回転速度[min-1]、Speed：エンジン回転速度[min-1]である。
【００４５】
そして、予め設定されたエンジン負荷率とエンジン回転速度に対応した空燃比マップに基づいて、前記エンジン回転速度と前記算出したエンジン負荷率から適正空燃比を求め、該適正空燃比に対応した混合気流量指令値Ｑｍｉｘ＿ｒｅｆを算出する。
前記混合気流量指令値Ｑｍｉｘ＿ｒｅｆは、以下の式（３）により算出できる。
【数３】
0004755154.tif 000004
ここで、Qmix_ref：混合気流量指令値[l/sec]、Qgas_ref：燃料ガス流量指令値[l/sec]、λ：適正空気過剰率（適正空気過剰率マップから得られた値）、λst：理論空燃比である。
【００４６】
前記空燃比マップとしては、図９に示すように、例えばエンジン回転速度信号とエンジン負荷率に応じて適正空気過剰率が予め設定された適正空気過剰率マップを用いることができる。尚、図９では空気過剰率から空燃比を求めるマップとなっているが、空気過剰率の項目を空燃比として直接空燃比が求められるマップとしてもよい。前記空燃比マップ、及び上記したガス流量リミットマップ、空気過剰率リミットマップにおいて、図示されるマップ形式を用いる場合には、各入力信号が項目の数値間に存在するときは補完処理により対応する。
【００４７】
一方、エンジン回転速度信号とマニホールド圧力信号（吸気圧力信号）とマニホールド温度信号（吸気温度）に基づき実際の混合気流量（実混合気流量）Ｑｍｉｘを算出する。実混合気流量Ｑｍｉｘは以下の式（４）により算出できる。
【数４】
0004755154.tif 000005
ここで、Qmix：実混合気流量[l/sec]、Speed：エンジン回転速度[min-1]、V：総排気量[l]、Ve：容積効率、MAP：マニホールド圧力[kPa]、MAT：マニホールド温度[K]、Tn：絶対温度273.2[K]、Pn：絶対圧力101.3[kPa]である。
そして、前記混合気流量指令値Ｑｍｉｘ＿ｒｅｆと前記実混合気流量Ｑｍｉｘの偏差からＰＩＤ演算によりスロットルバルブ１８の目標開度を設定するフィードバック制御を行い、混合気流量を調整する。
【００４８】
（始動運転モードＡ）
図３を参照して、始動運転モードＡにおける具体的な制御フローにつき説明する。
まず、空燃比制御部５２による燃料ガス流量制御につき以下に示す。
エンジン回転速度信号とマニホールド圧力信号とマニホールド温度信号に基づき実混合気流量を算出する。この実混合気流量Ｑｍｉｘは、上記した通常運転モードにおける式（４）と同様に算出できる。
また、前回の燃料ガス流量指令値と、エンジン回転速度信号に基づいてエンジン負荷率（ＬＯＡＤ）を算出する。エンジン負荷率は、上記した通常運転モードにおける式（２）と同様に算出できる。
【００４９】
そして、予め設定された適正空気過剰率マップ（図９参照）に基づいて、前記エンジン回転速度と前記式（２）にて算出したエンジン負荷率から適正空気過剰率（或いは空燃比）を求める。
さらに、前記式（４）にて算出した実混合気流量Ｑｍｉｘと、前記適正空気過剰率マップから取得した適正空気過剰率に基づいて最適な燃料ガス流量Ｑｇａｓを計算し、該算出した燃料ガス流量を燃料ガス流量指令値Ｑｇａｓ＿ｒｅｆとする。この燃料ガス流量Ｑｇａｓは以下の式（５）により算出できる。
【数５】
0004755154.tif 000006
ここで、Qgas：燃料ガス流量[l/sec]、Qmix：実混合気流量[l/sec]、λst：理論空燃比[l/sec]、λ：適正空気過剰率（適正空気過剰率マップより求めた値）である。
【００５０】
次に、速度制御部５１による混合気流量制御につき以下に示す。
目標値となるエンジン回転速度指令値信号と、エンジン回転速度センサ３２にて検出された実際のエンジン回転速度信号との偏差に基づいてＰＩＤ演算によりスロットルバルブ１８の目標開度を設定するフィードバック制御を行い、燃焼室７に供給される混合気流量を制御する。このように混合気流量をエンジン回転速度に基づいて調整することにより、エンジン回転速度制御が行われる。
尚、必要に応じて、前記スロットルの目標開度に対して、リミット処理を行う。このリミット処理は、エンジン回転速度に応じてスロットル開度の上下限リミットを設ける処理である。
【００５１】
（容量補正処理）
図４及び図５を参照して、容量補正処理について説明する。図４は本実施例に係る容量補正処理を示すブロック線図、図５は本実施例に係る容量補正処理を示すフローチャートである。
ガスエンジンの始動開始時には、燃料流量制御バルブ１６から燃焼室７までの主室燃料供給管１４及び混合気供給管２０（マニホールド内）には燃料ガスが存在しないため、燃料ガスを供給した後燃焼室７に到達するまでに時間がかかってしまう。従って、本実施例では、図４に示すように、始動開始時の実混合気流量Ｑｍｉｘの計算において総排気量にマニホールド容量を加算して計算する容量補正処理を行うことで、マニホールド容量分のガス流量を増加することができ、始動時間を短縮することが可能となる。
【００５２】
この容量補正処理は適宜設定可能とすることが好ましい。図５に示されるように、始動時に容量補正処理をＯＮに設定するか否かを選択し（Ｓ１１）、ＯＦＦに設定する場合には、基本の始動運転モード（Ｓ１５）で制御する。ＯＮに設定する場合には、まずタイマをＯＮにし（Ｓ１２）、マニホールド容量を総排気量に加算する補正を行う（Ｓ１３）。そして、タイマにより予め設定された補正時間時間になったら補正を終了し（Ｓ１４）、基本の始動運転モードの制御を行う（Ｓ１５）。尚、補正終了時間の代わりに、補正終了を示す設定回転速度を予め決めておき、エンジン回転速度が前記設定回転速度に到達したら補正処理を終了するようにしてもよい。
【００５３】
以上記載したごとく本実施例によれば、始動運転モードＡと通常運転モードＢを切り替え可能としたため、運転状態に応じた最適な制御が可能となる。
即ち、通常運転モードＢにおいては、出力変化に対する応答性の向上及び出力制御の安定化が図れるとともに、精度良く空燃比制御を行うことが可能で、特に、負荷投入時や負荷遮断時等の過渡運転時における負荷応答性の向上が達成できる。
一方、始動運転モードＡにおいては、実混合気流量Ｑｍｉｘと適正空気過剰率λから最適な燃料ガス流量指令値Ｑｇａｓ＿ｒｅｆを計算し、該燃料ガス流量指令値Ｑｇａｓ＿ｒｅｆに基づいて燃料流量制御バルブにより燃料ガス流量を制御するようにしているため、始動時に適切な空気過剰率を有する混合気を燃焼室に供給することができ、混合気が着火しやすく始動性を良好に保つことが可能となる。
【００５４】
さらに、始動運転モードＡにおいて、マニホールド容量を総排気量に加算する容量補正処理を行うことにより、始動時間を短縮することが可能となる。
また、速度制御部５１と空燃比制御部５２を一元化して連携制御するエンジン電子制御ユニット５０を備える構成としたため、円滑で高性能な運転制御が可能となるとともに、高価な制御装置を複数設置する必要がなくなり、さらに高価な排ガスセンサを設置しなくてもよいことから大幅なコストダウンが可能となる。
【産業上の利用可能性】
【００５５】
本実施例に係るガスエンジンの統合制御方法及び装置は、高精度の空燃比制御を維持しながら負荷応答性を向上させることが可能であるため、常用・非常用発電用エンジンや建設機械用エンジン、船舶、鉄道等に搭載されるエンジン等のガスエンジンに幅広く適用できる。
【図面の簡単な説明】
【００５６】
【図１】本発明の一実施例に係るガスエンジンとその制御装置を示す全体構成図である。
【図２】本発明の実施例に係る始動制御を示すフローチャートである。
【図３】本実施例に係る始動運転モードＡを示すブロック線図である。
【図４】本実施例に係る容量補正処理を示すブロック線図である。
【図５】本実施例に係る容量補正処理を示すフローチャートである。
【図６】本実施例に係る通常運転モードＢを示すブロック線図である。
【図７】ガス流量リミットマップの一例を示す図である。
【図８】空気過剰率リミットマップの一例を示す図である。
【図９】適正空気過剰率マップの一例を示す図である。
【図１０】従来のガスエンジンを示す全体構成図である。
【符号の説明】
【００５７】
１      ガスエンジン
２      シリンダ
７      主室（主燃焼室）
８      副室
１０    給気管
１２    ガスミキサ
１３    燃料供給管
１４    主室燃料供給管
１６    燃料流量制御バルブ
１８    スロットルバルブ
２０    混合気供給管
２１    副室燃料供給管
２５    過給機
３０    ＭＡＰセンサ（マニホールド圧力センサ）
３１    ＭＡＴセンサ（マニホールド温度センサ）
３２    エンジン回転速度センサ
３３    副室ガス圧センサ
３４    副室差圧センサ
４０    発電機
４１    発電機制御盤
５０    エンジン電子制御ユニット（ＥＣＵ）
５１    速度制御部
５２    空燃比制御部
５３    運転モード切替部
【図１】
0004755154.tif 000007
【図２】
0004755154.tif 000008
【図３】
0004755154.tif 000009
【図４】
0004755154.tif 000010
【図５】
0004755154.tif 000011
【図６】
0004755154.tif 000012
【図７】
0004755154.tif 000013
【図８】
0004755154.tif 000014
【図９】
0004755154.tif 000015
【図１０】
0004755154.tif 000016